(57)【要約】      （修正有）【課題】モータへの水の浸入を防止するとともに、モータブラケットへ浸入した水を除去できる水切りつば及びポンプ装置を提供すること。【解決手段】水切りつば１６は、弾性材料により形成され、ポンプ１４及びモータ１２を接続する回転軸１３に嵌合される開口部を有する円環状の基部４１と、基部のモータ１２側の主面に設けられ、径方向に延びる突起部４２と、を備える。【選択図】図５
2020051421.tif 000002
【特許請求の範囲】
【請求項１】
弾性材料により形成され、ポンプ及びモータを接続する回転軸に嵌合される開口部を有する円環状の基部と、
前記基部の前記モータ側の主面に設けられ、径方向に延びる突起部と、
を備える水切りつば。
【請求項２】
前記突起部は、径方向に直線状に延びる、請求項１に記載の水切りつば。
【請求項３】
前記突起部は、少なくとも一部で所定の曲率半径で湾曲する、請求項１に記載の水切りつば。
【請求項４】
前記突起部は複数設けられる、請求項１に記載の水切りつば。
【請求項５】
少なくとも前記突起部が多孔性材料により形成される、請求項１に記載の水切りつば。
【請求項６】
前記突起部は、前記基部の前記ポンプ側の主面にさらに設けられる、請求項１に記載の水切りつば。
【請求項７】
モータと、
前記モータに接続された回転軸と、
前記回転軸に接続され、前記回転軸を軸封する軸封装置を有するポンプと、
弾性材料により形成され、前記モータ及び前記ポンプの間の前記回転軸に嵌合される開口部を有する円環状の基部、並びに、前記基部の前記モータ側の主面に設けられ、径方向に延びる突起部を具備する水切りつばと、
を備える、ポンプ装置。
【請求項８】
前記モータは、前記回転軸を支持する軸受部材、前記軸受部材を支持するモータブラケットを有し、
前記突起部は、少なくとも一部で所定の曲率半径で前記開口部の開口縁側から前記基部の外周縁に向かって湾曲し、前記モータブラケットと所定の隙間を有して離間する、請求項７に記載のポンプ装置。
【請求項９】
前記突起部は複数設けられる、請求項７に記載のポンプ装置。
【請求項１０】
前記水切りつばは、少なくとも前記突起部が多孔性材料により形成される、請求項７に記載のポンプ装置。
【請求項１１】
前記水切りつばは、前記突起部が前記基部の前記ポンプ側の主面にさらに設けられる、請求項７に記載のポンプ装置。
【発明の詳細な説明】
【技術分野】
【０００１】
本発明は、モータに接続された回転軸に装着される水切りつば及び水切りつばを有するポンプ装置に関する。
【背景技術】
【０００２】
水等の流体を増圧して供給するポンプ装置として、モータにポンプが回転軸を介して接続される構成が知られている。また、ポンプ装置として、ポンプのポンプケーシングと回転軸との間から漏水することを防止するために、メカニカルシール等の軸封装置を用いる技術が知られている（例えば、特許文献１参照）。
【０００３】
このようなポンプ装置は、軸封装置から水が漏洩した場合に、漏洩した水がモータの内部へ浸入すると、モータ内の軸受や他の構成が被水し、モータが損傷する虞がある。また、ポンプ装置の設置条件によっては、雨水や結露水が回転軸に付着し、水が回転軸に沿ってモータに移動し、モータ内に水が浸入する虞もある。このため、軸封装置とモータとの間の回転軸の間に水切りつばを設け、モータの内部へ水が浸入することを防止することが可能なポンプ装置も知られている（例えば、特許文献２参照）。
【先行技術文献】
【特許文献】
【０００４】
【特許文献１】特開平７−２２４７８２号公報
【特許文献２】特開２０１４−１０９１９５号公報
【発明の概要】
【発明が解決しようとする課題】
【０００５】
上述した水切りつばは、水切りつばよりもポンプ側からモータに向かって移動する水を防ぎ、付着した水を径方向に飛散させることが可能である。しかしながら、モータブラケットに結露した水がモータブラケットを伝って回転軸に移動する等により水切りつばとモータブラケットの間に浸入した水を除去することができず、モータに水が浸入する虞がある。
【０００６】
そこで、本発明は、モータへの水の浸入を防止するとともに、モータブラケットへ浸入した水を除去できる水切りつば及びポンプ装置を提供することを目的とする。
【課題を解決するための手段】
【０００７】
本発明の一態様として、水切りつばは、弾性材料により形成され、ポンプ及びモータを接続する回転軸に嵌合される開口部を有する円環状の基部と、前記基部の前記モータ側の主面に設けられ、径方向に延びる突起部と、を備える。
【０００８】
本発明の一態様として、ポンプ装置は、モータと、前記モータに接続された回転軸と、前記回転軸に接続され、前記回転軸を軸封する軸封装置を有するポンプと、弾性材料により形成され、前記モータ及び前記ポンプの間の前記回転軸に嵌合される開口部を有する円環状の基部、並びに、前記基部の前記モータ側の主面に設けられ、径方向に延びる突起部を具備する水切りつばと、を備える。
【発明の効果】
【０００９】
本発明によれば、モータへの水の浸入を防止するとともに、浸入した水を除去できる水切りつば及びポンプ装置を提供することが可能となる。
【図面の簡単な説明】
【００１０】
【図１】本発明の第１の実施形態に係るポンプ装置の構成を示す平面図。
【図２】同ポンプ装置の構成を示す側面図。
【図３】同ポンプ装置の構成を示す側面図。
【図４】同ポンプ装置のポンプ及びモータの構成を一部断面で示す側面図。
【図５】同モータの要部構成を一部断面で示す側面図。
【図６】同モータのモータケーシングの構成を示す側面図。
【図７】同ポンプ装置に設けられる水切りつばの構成を示す平面図。
【図８】同水切りつばの構成を示す断面図。
【図９】本発明の第２の実施形態に係るポンプ装置の要部構成を一部断面で示す側面図。
【図１０】同ポンプ装置に用いられるモータケーシングを示す側面図。
【図１１】本発明の第３の実施形態に係る水切りつばの構成を示す平面図。
【図１２】本発明の第４の実施形態に係る水切りつばの構成を示す平面図。
【図１３】本発明の第５の実施形態に係る水切りつばの構成を示す平面図。
【図１４】本発明の第６の実施形態に係る水切りつばの構成を示す平面図。
【図１５】本発明の第７の実施形態に係る水切りつばの構成を示す平面図。
【図１６】本発明の第８の実施形態に係る水切りつばの構成を示す断面図。
【発明を実施するための形態】
【００１１】
以下、本発明の一実施形態に係るポンプ装置１を、図１乃至図８を用いて説明する。  
図１乃至図３は、本発明の一実施形態に係るポンプ装置１の構成を平面図及び異なる２方向の側面図で示すものである。図４は、ポンプ装置１のポンプ１４及びモータ１２の構成を一部断面で示す側面図である。図５は、モータ１２の要部構成を示す一部断面で示す側面図である。図６は、回転軸１３及びモータブラケット２４の構成を、ブラケット２４ｂ側から示す側面図である。モータ１２の要部構成を示す側面図である。図７及び図８は、ポンプ装置１に設けられる水切りつば１６の構成を示す平面図及び断面図である。
【００１２】
図１乃至図５に示すように、ポンプ装置１は、架台１１と、モータ１２と、回転軸１３と、ポンプ１４と、軸封装置１５と、水切りつば１６と、アキュムレータ１７と、を備えている。ポンプ装置１は、例えば、回転軸１３が垂直方向と直交する方向に延設される、所謂横置ポンプである。ポンプ装置１は、液体、例えば水を増圧し、二次側に圧送可能に形成されている。
【００１３】
架台１１は、モータ１２及びポンプ１４を支持する。架台１１は、ポンプ装置１を敷設する床面に固定される。
【００１４】
モータ１２は、モータケーシング２１と、固定子２２と、回転子２３と、モータケーシング２１のポンプ１４と対向する端部に設けられたモータブラケット２４と、モータブラケット２４に設けられた軸受部材２５と、を備えている。モータ１２は、回転子に回転軸１３が固定され、回転軸１３を回転可能に形成されている。
【００１５】
モータケーシング２１は、内部に固定子２２、回転子２３を収容する。モータケーシング２１は、例えば、ポンプ１４に対向する一端側が開口し、そして、他端側がカバーによって閉塞する。また、モータケーシング２１は、外周面にヒートシンクを複数有するとともに、他端側にモータファンを有する。
【００１６】
固定子２２は、例えば円筒状に構成され、モータケーシング２１内に固定される。回転子２３は、固定子２２内に回転可能に設けられる。回転子２３は、中心に回転軸１３が固定される。
【００１７】
図４乃至図６に示すように、モータブラケット２４は、モータケーシング２１の開口する端部を閉塞する。モータブラケット２４は、中央に設けられた回転軸１３を挿通する孔部２４ａと、モータブラケット２４のポンプ１４側の主面であって、且つ、孔部２４ａの周囲に設けられたブラケット２４ｂと、モータブラケット２４内部側の主面であって、且つ、孔部２４ａの周囲に設けられた軸受部材２５を取り付ける取付部２４ｃと、を備える。
【００１８】
孔部２４ａの内径は、回転軸１３の外径よりも若干大径に構成される。ブラケット２４ｂは、円筒状に構成される。取付部２４ｃは、軸受部材２５が嵌合可能な内径を有する。軸受部材２５は、例えばボールベアリングである。
【００１９】
回転軸１３は、一端がモータ１２に挿入され、他端がポンプ１４内に挿入される。回転軸１３は、ポンプ１４内に挿入された端部に、ポンプ１４の後述するインペラ３２が固定される。また、回転軸１３は、インペラ３２及びモータ１２の間に、軸封装置１５及び水切りつば１６が設けられる。
【００２０】
図４及び図５に示すように、ポンプ１４は、ポンプケーシング３１と、インペラ３２と、フランジ３３と、を備える。ポンプ１４は、例えば、インペラ３２を単数有する、所謂単段ポンプである。
【００２１】
ポンプケーシング３１は、吸込口３６と、吐出口３７と、ポンプ室３８と、孔部３９と、を備える。吸込口３６は、ポンプ室３８に流体的に連続する。吸込口３６には、例えば、逆止弁及び配管に接続されるフランジが設けられる。吐出口３７は、ポンプ室３８に流体的に連続する。ポンプ室３８は、インペラ３２を収容する。孔部３９は、ポンプ室３８を構成する壁部に設けられ、回転軸１３が挿通される開口である。孔部３９は、軸封装置１５を配置可能に構成される。
【００２２】
図４及び図５に示すように、インペラ３２は、回転軸１３の回転に伴って回転可能に、回転軸１３に固定される。フランジ３３は、吐出口３７の開口端に設けられる。
【００２３】
軸封装置１５は、ポンプケーシング３１の孔部３９及びインペラ３２間に設けられる。軸封装置１５は、所謂メカニカルシールである。軸封装置１５は、孔部３９及び回転軸１３間の隙間を密封する。
【００２４】
図６及び図７に示すように、水切りつば１６は、軸封装置１５及びモータ１２間に配置され、回転軸１３に固定される。水切りつば１６は、基部４１と、基部４１に設けられた突起部４２と、を備えている。水切りつば１６は、弾性変形可能な弾性材料、例えばゴム材料により形成される。水切りつば１６の厚さ、換言すると基部４１及び突起部４２の軸方向の厚さが、モータブラケット２４のポンプ１４側の主面からのブラケット２４ｂの高さと同一か、又は、若干小さく設定される。また、水切りつば１６の外径、換言すると、基部４１の外径は、ブラケット２４ｂの内径よりも若干小径に設定される。
【００２５】
このような水切りつば１６は、孔部２４ａの内周面及びモータブラケット２４のブラケット２４ｂが設けられた側の主面から離間して、回転軸１３に配置される。
【００２６】
基部４１は、円環の板状に構成される。基部４１は、中心に、回転軸１３の外径と同一径又は若干小径の内径の開口部４１ａを有する。基部４１は、開口部４１ａに回転軸１３を嵌合させることで、回転軸１３に固定される。また、例えば、基部４１は、開口部４１ａの周囲が突起部４２と同じ高さで環状に突出する。換言すると、基部４１は、開口部４１ａの周囲の厚さが厚くなるように、異なる二つの外径を有する円筒状に構成される。
【００２７】
突起部４２は、基部４１の少なくともモータブラケット２４側の主面に設けられる。突起部４２は、基部４１が回転することで、基部４１の外方に向かって送風する羽根作用を成立させる形状に構成される。突起部４２は、単数又は複数設けられる。また、突起部４２は、基部４１の主面に、基部４１の内周縁側から外周縁側に向かって径方向に延びるか、又は、少なくとも一部が湾曲する形状に構成される。
【００２８】
具体例として、図６及び図７に示すように、突起部４２は、基部４１に単数設けられ、内周縁側が直線状で径方向に延びるとともに、内周縁側から外周縁側に向かう中途部から所定の曲率半径で湾曲する。
【００２９】
アキュムレータ１７は、ポンプケーシング３１のポンプ室３８及び吐出口３７の間に接続される。アキュムレータ１７は、蓄圧可能に構成される。
【００３０】
このように構成された水切りつば１６を有するポンプ装置１によれば、モータ１２を駆動してポンプ１４のインペラ３２を回転させるときに、軸封装置１５から漏水した場合や、ポンプ１４及び水切りつば１６間に結露が生じた場合に、回転軸１３に沿った水の移動を水切りつば１６が防ぐ。これにより、ポンプ１４側から水切りつば１６に向かって移動した水が、モータ１２のモータブラケット２４の開口部２２ａに浸入することが防止できる。
【００３１】
また、回転軸１３の回転に追従して水切りつば１６も回転することから、水切りつば１６に設けられた突起部４２が羽根作用を生じ、突起部４２は、水切りつば１６外方へ送風する。これにより、水切りつば１６は、例えばモータブラケット２４に結露した水等が、モータブラケット２４のブラケット２４ｂ内に水が浸入することを防止できる。このため、モータブラケット２４のブラケット２４ｂ内に浸入することを防止できる。
【００３２】
加えて、水切りつば１６は、ブラケット２４ｂ内に配置されることから、水切りつば１６によって外方へ送風されることで、ブラケット２４ｂが負圧となる。また、ブラケット２４ｂ内で水が水切りつば１６に付着した場合には、水切りつば１６の遠心力によって水が外方へと飛散する。
【００３３】
これらのことにより、ブラケット２４ｂ内に水が浸入したとしても、ブラケット２４ｂ内から水が大気側へと移動することから、ポンプ装置１は、ブラケット２４ｂ内から水を除去することが可能となる。
【００３４】
このように、ポンプ装置１は、水切りつば１６及びブラケット２４ｂによって、モータブラケット２４からモータ１２内に水が浸入することを防止できる。
【００３５】
上述したように本発明の第１の実施形態に係るポンプ装置１によれば、モータ１２への水の浸入を防止するとともに、モータブラケット２４へ浸入した水、即ち、ブラケット２４ｂ及び水切りつば１６間へ浸入した水を除去できる。
【００３６】
次に本発明の第２の実施形態に係るポンプ装置１Ａについて図９及び図１０を用いて説明する。なお、第２の実施形態に係るポンプ装置１Ａは、モータブラケット２４Ａの構成が、上述した第１の実施形態に係るポンプ装置１のモータブラケット２４と異なることから、同様の構成には同一符号を付し、その詳細な説明は省略する。
【００３７】
図１０は、回転軸１３及びモータブラケット２４Ａの構成を、ブラケット２４ｂ側から示す側面図である。
【００３８】
図１乃至図４及び図９に示すように、ポンプ装置１Ａは、架台１１と、モータ１２Ａと、回転軸１３と、ポンプ１４と、軸封装置１５と、水切りつば１６と、アキュムレータ１７と、を備える。
【００３９】
モータ１２Ａは、モータケーシング２１と、固定子２２と、回転子２３と、モータケーシング２１のポンプ１４と対向する端部に設けられたモータブラケット２４Ａと、モータブラケット２４Ａに設けられた軸受部材２５と、を備えている。
【００４０】
図９及び図１０に示すように、モータブラケット２４Ａは、モータケーシング２１の開口する端部を閉塞する。モータブラケット２４Ａは、孔部２４ａと、ブラケット２４ｂと、取付部２４ｃと、ブラケット２４ｂの周方向の一部に設けられた切欠部２４ｄと、を備える。即ち、モータブラケット２４Ａは、上述した第１の実施形態のポンプ装置１に用いられるモータブラケット２４と、ブラケット２４ｂに切欠部２４ｄが設けられる構成が異なる。
【００４１】
切欠部２４ｄは、ブラケット２４ｂの周方向の一部に設けられる。切欠部２４ｄは、ブラケット２４ｂの高さ方向の全てに渡って設けられる。
【００４２】
このように構成されたポンプ装置１によれば、上述した第１の実施形態に係るポンプ装置１と同様に、水切りつば１６及びブラケット２４ｂによって、モータ１２への水の浸入を防止するとともに、モータブラケット２４へ浸入した水、即ち、ブラケット２４ｂ及び水切りつば１６間へ浸入した水を除去できる。
【００４３】
加えて、ブラケット２４ｂに切欠部２４ｄを設けることで、水切りつば１６が回転し、径方向外方へ送風したときに水切りつば１６及びブラケット２４ｂ間の空間に空気が流入するための開口を切欠部２４ｄが形成する。このため、ポンプ装置１は、効率よく、ブラケット２４ｂ及び水切りつば１６間に浸入した水を除去することが可能となる。
【００４４】
次に本発明の第３の実施形態に係る水切りつば１６Ａについて図１１を用いて説明する。
【００４５】
なお、第３の実施形態に係る水切りつば１６Ａの構成のうち、上述した第１の実施形態に係る水切りつば１６と同様の構成には同一符号を付し、その詳細な説明は省略する。
【００４６】
また、第３の実施形態に係る水切りつば１６Ａは、上述した第１の実施形態に係るポンプ装置１及び第２の実施形態に係るポンプ装置１に用いることが可能であり、このため、水切りつば１６Ａが用いられるポンプ装置１の説明は省略する。
【００４７】
図４及び図１１に示すように、水切りつば１６Ａは、軸封装置１５及びモータ１２間に配置され、回転軸１３に固定される。水切りつば１６Ａは、基部４１と、基部４１に設けられた二つの突起部４２と、を備えている。即ち、水切りつば１６Ａは、上述した第１の実施形態に係る水切りつば１６と突起部４２の数が異なる。水切りつば１６Ａは、弾性変形可能な弾性材料、例えばゴム材料により形成される。水切りつば１６Ａの厚さ、換言すると基部４１及び突起部４２の軸方向の厚さが、モータブラケット２４のポンプ１４側の主面からのブラケット２４ｂの高さと同一か、又は、若干小さく設定される。また、水切りつば１６Ａの外径、換言すると、基部４１の外径は、ブラケット２４ｂの内径よりも若干小径に設定される。
【００４８】
このような水切りつば１６Ａは、孔部２４ａの内周面及びモータブラケット２４のブラケット２４ｂが設けられた側の主面から離間して、回転軸１３に配置される。
【００４９】
突起部４２は、基部４１の少なくともモータブラケット２４側の主面に設けられる。突起部４２は、基部４１が回転することで、基部４１の外方に向かって送風する羽根作用を成立させる形状に構成される。図１１に示すように、二つの突起部４２は、基部４１に、周方向で対象位置に設けられる。突起部４２は、内周縁側が直線状で径方向に延びるとともに、内周縁側から外周縁側に向かう中途部から所定の曲率半径で湾曲する。
【００５０】
このように構成された水切りつば１６Ａは、ポンプ装置１に用いることで、上述した水切りつば１６と同様に、水切りつば１６Ａ及びブラケット２４ｂによって、モータ１２への水の浸入を防止するとともに、モータブラケット２４へ浸入した水、即ち、ブラケット２４ｂ及び水切りつば１６Ａ間へ浸入した水を除去できる。また、水切りつば１６Ａは、突起部４２を２つ設けることで、上述した水切りつば１６よりも高い羽根作用を得られる。
【００５１】
次に本発明の第４の実施形態に係る水切りつば１６Ｂについて図１２を用いて説明する。
【００５２】
なお、第４の実施形態に係る水切りつば１６Ｂの構成のうち、上述した第１の実施形態に係る水切りつば１６と同様の構成には同一符号を付し、その詳細な説明は省略する。
【００５３】
また、第４の実施形態に係る水切りつば１６Ｂは、上述した第１の実施形態に係るポンプ装置１及び第２の実施形態に係るポンプ装置１に用いることが可能であり、このため、水切りつば１６Ｂが用いられるポンプ装置１の説明は省略する。
【００５４】
図４及び図１２に示すように、水切りつば１６Ｂは、軸封装置１５及びモータ１２間に配置され、回転軸１３に固定される。水切りつば１６Ｂは、基部４１と、基部４１に設けられた三つの突起部４２Ｂと、を備えている。即ち、水切りつば１６Ｂは、上述した第１の実施形態に係る水切りつば１６と突起部４２Ｂの形状及び数が異なる。水切りつば１６Ｂは、弾性変形可能な弾性材料、例えばゴム材料により形成される。水切りつば１６Ｂの厚さ、換言すると基部４１及び突起部４２Ｂの軸方向の厚さが、モータブラケット２４のポンプ１４側の主面からのブラケット２４ｂの高さと同一か、又は、若干小さく設定される。また、水切りつば１６Ｂの外径、換言すると、基部４１の外径は、ブラケット２４ｂの内径よりも若干小径に設定される。
【００５５】
このような水切りつば１６Ｂは、孔部２４ａの内周面及びモータブラケット２４のブラケット２４ｂが設けられた側の主面から離間して、回転軸１３に配置される。
【００５６】
突起部４２Ｂは、基部４１の少なくともモータブラケット２４側の主面に設けられる。突起部４２Ｂは、基部４１が回転することで、基部４１の外方に向かって送風する羽根作用を成立させる形状に構成される。図１２に示すように、三つの突起部４２Ｂは、基部４１に、周方向に等間隔に配置される。また、突起部４２Ｂは、径方向に直線状に延びるとともに、径方向で外方側の先端が半円状に形成される。
【００５７】
このように構成された水切りつば１６Ｂは、ポンプ装置１に用いることで、上述した水切りつば１６と同様に、水切りつば１６Ｂ及びブラケット２４ｂによって、モータ１２への水の浸入を防止するとともに、モータブラケット２４へ浸入した水、即ち、ブラケット２４ｂ及び水切りつば１６Ｂ間へ浸入した水を除去できる。
【００５８】
次に本発明の第５の実施形態に係る水切りつば１６Ｃについて図４及び図１３を用いて説明する。
【００５９】
なお、第５の実施形態に係る水切りつば１６Ｃの構成のうち、上述した第１の実施形態に係る水切りつば１６と同様の構成には同一符号を付し、その詳細な説明は省略する。
【００６０】
また、第５の実施形態に係る水切りつば１６Ｃは、上述した第１の実施形態に係るポンプ装置１及び第２の実施形態に係るポンプ装置１に用いることが可能であり、このため、水切りつば１６Ｃが用いられるポンプ装置１の説明は省略する。
【００６１】
図４及び図１３に示すように、水切りつば１６Ｃは、軸封装置１５及びモータ１２間に配置され、回転軸１３に固定される。水切りつば１６Ｃは、基部４１と、基部４１に設けられた三つの突起部４２Ｃと、を備えている。即ち、水切りつば１６Ｃは、上述した第４の実施形態に係る水切りつば１６Ｂと突起部４２Ｃの形状が異なる。水切りつば１６Ｃは、弾性変形可能な弾性材料、例えばゴム材料により形成される。水切りつば１６Ｃの厚さ、換言すると基部４１及び突起部４２Ｃの軸方向の厚さが、モータブラケット２４のポンプ１４側の主面からのブラケット２４ｂの高さと同一か、又は、若干小さく設定される。また、水切りつば１６Ｃの外径、換言すると、基部４１の外径は、ブラケット２４ｂの内径よりも若干小径に設定される。
【００６２】
このような水切りつば１６Ｃは、孔部２４ａの内周面及びモータブラケット２４のブラケット２４ｂが設けられた側の主面から離間して、回転軸１３に配置される。
【００６３】
突起部４２Ｃは、基部４１の少なくともモータブラケット２４側の主面に設けられる。突起部４２Ｃは、基部４１が回転することで、基部４１の外方に向かって送風する羽根作用を成立させる形状に構成される。図１３に示すように、三つの突起部４２Ｃは、基部４１に、周方向に等間隔に配置される。また、突起部４２Ｃは、基部４１の中心側から外周縁に向かって所定の曲率半径で湾曲する。
【００６４】
このように構成された水切りつば１６Ｃは、ポンプ装置１に用いることで、上述した水切りつば１６と同様に、水切りつば１６Ｃ及びブラケット２４ｂによって、モータ１２への水の浸入を防止するとともに、モータブラケット２４へ浸入した水、即ち、ブラケット２４ｂ及び水切りつば１６Ｃ間へ浸入した水を除去できる。
【００６５】
なお、本発明は、上述の実施形態に限定されない。例えば、上述した例では、水切りつば１６、１６Ｂ、１６Ｃとして、各突起部４２、４２Ｂ、４２Ｃの形状や数を説明したが、水切りつば１６、１６Ｂ、１６Ｃに用いられる突起部４２、４２Ｂ、４２Ｃの形状や数は、適宜設定できる。例えば、図１４に示す水切りつば１６Ｄのように、径方向に放射状に延びる６つの突起部４２Ｄを備える構成であってもよく、また、図１５に示す水切りつば１６Ｅの突起部４２Ｅのように、一体に形成された放射状に多数延びる突起部４２Ｅを有する構成であってもよい。即ち、水切りつばは、羽根作用を生じさせることが可能であれば、突起部の形状や数は適宜設定できる。
【００６６】
さらに、図１６に示す水切りつば１６Ｆに示すように、基部４１のポンプ１４側の主面に、さらに羽根作用を生じる突起部４２Ｆを設ける構成であってもよい。このような構成とすることで、水切りつば１６Ｆは、ポンプ１４側で冷却された空気を突起部４２Ｆでポンプ装置１周りに送風することが可能となる。
【００６７】
また、上述した例では、水切りつば１６、１６Ａ、１６Ｂ、１６Ｃは、弾性変形可能な弾性材料、例えばゴム材料により形成される構成を説明したがこれに限定されない。水切りつばを構成する弾性材料として、スポンジ状等の多孔性材料を用いても良い。このような材料を水切りつばに用いることで、ポンプ装置１の停止時に生じた結露水などを毛管現象で吸い上げることが可能となるとともに、多孔性材料は防音効果を有するため、排出音などを吸収することもできる。また、水切りつばは、突起部のみを多孔性材料とする構成であってもよい。
【００６８】
なお、本発明は、上記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
【符号の説明】
【００６９】
１…ポンプ装置、１Ａ…ポンプ装置、１１…架台、１２…モータ、１２Ａ…モータ、１３…回転軸、１４…ポンプ、１５…軸封装置、１６、１６Ａ、１６Ｂ、１６Ｃ、１６Ｄ、１６Ｅ、１６Ｆ…水切りつば、１７…アキュムレータ、２１…モータケーシング、２２…固定子、２２ａ…開口部、２３…回転子、２４…モータブラケット、２４ａ…孔部、２４Ａ…モータブラケット、２４ｂ…ブラケット、２４ｃ…取付部、２４ｄ…切欠部、２５…軸受部材、３１…ポンプケーシング、３２…インペラ、３３…フランジ、３６…吸込口、３７…吐出口、３８…ポンプ室、３９…孔部、４１…基部、４１ａ…開口部、４２、４２Ｂ、４２Ｃ、４２Ｄ、４２Ｅ、４２Ｆ…突起部。
【図１】
2020051421.tif 000003
【図２】
2020051421.tif 000004
【図３】
2020051421.tif 000005
【図４】
2020051421.tif 000006
【図５】
2020051421.tif 000007
【図６】
2020051421.tif 000008
【図７】
2020051421.tif 000009
【図８】
2020051421.tif 000010
【図９】
2020051421.tif 000011
【図１０】
2020051421.tif 000012
【図１１】
2020051421.tif 000013
【図１２】
2020051421.tif 000014
【図１３】
2020051421.tif 000015
【図１４】
2020051421.tif 000016
【図１５】
2020051421.tif 000017
【図１６】
2020051421.tif 000018